(57)【特許請求の範囲】
【請求項１】
内炎口バーナーを備えたコンロ本体を備え、
前記内炎口バーナーは、内向炎口を有する筒状体とこの筒状体の周囲に環状流路を形成する混合気供給体を備え、前記筒状体に設けられた複数の前記内向炎口が前記コンロ本体における前方側の開口密度に対して前記コンロ本体における後方側の開口密度を小さくすることで、放出方向が前記コンロ本体における後方側に傾斜した放出火炎を形成することを特徴とするガスコンロ。
【請求項２】
複数の前記内向炎口は、前記筒状体の側面に形成されて上下に延びる同一幅のスリット状開口であり、前記筒状体の後方側の配置間隔が前方側の配置間隔より大きいことを特徴とする請求項１記載のガスコンロ。
【請求項３】
複数の前記内向炎口は、前記筒状体の側面に同一間隔で形成されて上下に延びるスリット状開口であり、前記筒状体の後方側のスリット幅が前方側のスリット幅より小さいことを特徴とする請求項１記載のガスコンロ。
【発明の詳細な説明】
【技術分野】
【０００１】
本発明は、ガスコンロに関し、特に調理用に適するガスコンロに関するものである。
【背景技術】
【０００２】
ガスコンロは、コンロ本体にガスバーナーを備えており、ガスバーナーの火炎放出部の周囲を囲むようにコンロ本体の上面に調理具を支持する五徳が配備されている。ガスバーナーとしては各種の形態があるが、下記特許文献１に記載されるような内炎口バーナー（或いは内部炎口型バーナー）と呼ばれるガスバーナーを用いたガスコンロが知られている。
【０００３】
内炎口バーナーは、内向炎口を有する筒状体とこの筒状体の周囲に環状流路を形成する混合気供給体を備えている。この内炎口バーナーは、混合気供給体によって供給される混合気が筒状体の周囲外側から内向炎口内に流入し、内向炎口を通って筒状体の内側から上方に吹き上げられる混合気によって火炎が形成される。筒状体は混合気供給体の内部に支持されており、筒状体の側面には上下に延びるスリットが全周に亘って複数設けられ、このスリットが内向炎口を形成している。
【先行技術文献】
【特許文献】
【０００４】
【特許文献１】特開平１０―１６０１７１号公報
【発明の概要】
【発明が解決しようとする課題】
【０００５】
このような内炎口バーナーを備えたガスコンロは、筒状の火炎が形成されることで火炎が周囲に広がるのを抑えることができるが、調理具の底に火炎が当たると底面に沿って火炎や燃焼排気が周囲に広がり、コンロの前面に立つ使用者（調理者）に熱が伝わる問題がある。これを解消するためには、バーナーの周囲における前面側を遮熱カバーで覆って火炎や燃焼排気が前面側に広がるのを抑えることが考えられる。
【０００６】
しかしながら、内炎口バーナーの周囲の一部を遮熱カバーで覆うと遮熱カバーの内側の燃焼空間が閉ざされることになり燃焼に必要な空気供給を妨げることになる。更には遮熱カバーによって円滑な燃焼排気が妨げられることになるので、ＣＯ排出量が多くなり、燃焼状態が悪化することになる。また、金属板などによる単純な遮熱カバーの構造では、遮熱カバー自体が火炎に曝されて加熱されるので、熱くなった遮熱カバーからの輻射熱が使用者側に伝搬し、遮熱カバーが効果的に機能しない問題が生じる。
【０００７】
本発明は、このような問題に対処することを課題の一例とするものである。すなわち、内炎口バーナーを備えたガスコンロにおいて、良好な燃焼性能を確保しながら、使用者位置への熱の伝搬を抑制して使用環境の改善を図ること、などが本発明の目的である。
【課題を解決するための手段】
【０００８】
このような目的を達成するために、本発明によるガスコンロは、以下の構成を少なくとも具備するものである。なお、以下の説明において、ガスコンロの前又は前方とは、ガスコンロに対して使用者が立つ側であり、後ろ又は後方とはガスコンロに対して使用者が立つ側の逆側を指している。また、以下の説明で上下とは、前後方向に直交する鉛直方向を指している。
【０００９】
本発明のガスコンロは、内炎口バーナーを備えたコンロ本体を備え、前記内炎口バーナーは、内向炎口を有する筒状体とこの筒状体の周囲に環状流路を形成する混合気供給体を備え、前記筒状体に設けられた複数の前記内向炎口が前記コンロ本体における前方側の開口密度に対して前記コンロ本体における後方側の開口密度を小さくすることで、放出方向が前記コンロ本体における後方側に傾斜した放出火炎を形成することを特徴とする。
【発明の効果】
【００１０】
このような特徴を有する本発明のガスコンロは、内炎口バーナーの放出火炎の放出方向を後方側に傾斜させることで、内炎口バーナーの放出火炎の前方側を覆う遮熱カバーにより燃焼排気が前方に滞留することを防ぎ、円滑な排気が可能となる。これによって、内炎口バーナーが良好な燃焼を維持した状態で、遮熱カバーによって前方に伝搬する熱を遮断することができる。この際、内炎口バーナーの放出火炎の放出方向が後方側に傾斜していることで、遮熱カバー自体が火炎に曝されて加熱することを抑止することができ、また、火炎自体の前方への広がりを抑止することができる。
【００１１】
このように、本発明のガスコンロによると、内炎口バーナーを備えたガスコンロにおいて、良好な燃焼性能を確保しながら、使用者位置への熱の伝搬を抑制して使用環境の改善を図ることができる。
【図面の簡単な説明】
【００１２】
【図１】本発明の一実施形態に係るガスコンロの使用状態を示した断面図（図２におけるＸ−Ｘ断面図）である。
【図２】本発明の一実施形態に係るガスコンロを示した平面図である。
【図３】本発明の一実施形態に係るガスコンロにおいて、筒状体に設けられる内向炎口の形態を示した説明図である。
【図４】本発明の一実施形態に係るガスコンロにおける遮熱カバーの具体的な構成を示した説明図である。
【発明を実施するための形態】
【００１３】
以下、図面を参照しながら、本発明の実施形態を説明する。図１は本発明の一実施形態に係るガスコンロの使用状態を示した断面図（図２におけるＸ−Ｘ断面図）であり、図２は、本発明の一実施形態に係るガスコンロを示した平面図である。
【００１４】
ガスコンロ１は、コンロ本体１Ａと、コンロ本体１Ａに配備される内炎口バーナー２を備えている。内炎口バーナー２は、前述したように、内向炎口２０Ａを有する筒状体２０と筒状体２０の周囲に環状流路２１Ａを形成する混合気供給体２１を備えている。内炎口バーナー２は、混合気供給体２１の混合気供給口２１ＢにガスノズルＧからガス（Ｇ0）が注入され、その周囲から流入する空気（Ａ0）とガス（Ｇ0）が混合した混合気（Ｍ0）が混合気供給体２１内を流動する。混合気供給体２１内に供給された混合気は、環状流路２１Ａを経由して筒状体２０の周囲外側から内向炎口２０Ａ内に流入し、内向炎口２０Ａを通って筒状体２０の内側から上方に吹き上げられる混合気によって放出火炎Ｆが形成される。筒状体２０は混合気供給体２１の内部に支持されており、筒状体２０の側面には上下に延びるスリットＳが全周に亘って複数設けられ、このスリットＳが内向炎口２０Ａを形成している。
【００１５】
ガスコンロ１は、内炎口バーナー２の放出火炎Ｆの周囲に、その前方側を覆う遮熱カバー３を備えている。図示の例では、コンロ本体１Ａの上面に汁受け部材４が配備されており、その汁受け部材４上に遮熱カバー３が配備されている。遮熱カバー３は汁受け部材４と一体に設けてもよいし、別体に設けてもよい。また、図示の例では、コンロ本体１Ａの上面に調理具Ｐを支持する五徳５が配備されている。この例では、遮熱カバー３は、前方側に配備される２つの爪部５Ａ，５Ｂの間に配置されている。
【００１６】
本発明の実施形態に係るガスコンロ１は、内炎口バーナー２が、後方に傾斜した放出火炎Ｆを形成する。筒状体２０の周囲に複数形成される内向炎口２０Ａから筒状体２０内に流入する混合気の圧力を、前方側に対して後方側で低くすることで、放出火炎Ｆの放出方向を後方に傾斜させることができる。
【００１７】
図３は、筒状体に設けられる内向炎口の形態を示した説明図である。前述したように後方に傾斜する放出火炎Ｆを得るために、筒状体２０に設けられた複数の内向炎口２０Ａは、前方側の開口密度に対して後方側の開口密度を小さくしている。これによって、筒状体２０の前後に圧力差が生じ、圧力の高くなっている部分の火炎が圧力の低くなっている部分に移動して、放出火炎Ｆが後方に傾斜する。
【００１８】
図３（ａ）に示した例では、複数の内向炎口２０Ａは、筒状体２０の側面に形成されて上下に延びる同一幅ｔのスリット状開口であり、筒状体２０の後方側の配置間隔ｆ１が前方側の配置間隔ｆ２より大きい。これによって筒状体２０の前後の開口密度に差をつけている。図３（ｂ）に示した例では、複数の内向炎口２０Ａは、筒状体２０の側面に同一間隔で形成されて上下に延びるスリット状開口であり、筒状体２０の後方側のスリット幅ｔ１が前方側のスリット幅ｔ２より小さい。これによって筒状体２０の前後の開口密度に差をつけている。なお、図１〜図３において、混合気が後方から供給されているが、これに限らず前後左右いずれの方向から供給されても良い。
【００１９】
図４は、遮熱カバーの具体的な構成を示した説明図である。遮熱カバー３は、汁受け部材４上に配備されている。汁受け部材４は、汁受け部４Ａと、汁受け部４Ａの中央に形成される開口部４Ｂを備えている。開口部４Ｂ内には筒状体２０の内向炎口２０Ａが配置される。開口部４Ｂの周囲でガスコンロ１の前方側を覆うように遮熱カバー３が設けられる。
【００２０】
遮熱カバー３は、下方位置に空気流入口３Ａを有する前方遮熱板３Ｂと前方遮熱板３Ｂとの間に空気層Ｎを形成する後方遮熱板３Ｃを備える。図示の例では前方遮熱板３Ｂに、五徳５の爪部を挿入する切り欠き３Ｂ１が形成されており、遮熱カバー３の上端位置と爪部の上端位置とを近接又は一致させている。
【００２１】
このような構成の遮熱カバー３によると、前方遮熱板３Ｂと後方遮熱板３Ｃの間に形成される空気層が断熱機能を発揮するので、後方遮熱板３Ｃが火炎に曝されて加熱したとしても、その熱が前方側に伝わるのを抑止することができる。前方遮熱板３Ｂには下方位置に空気流入口３Ａが設けられているので、この空気流入口３Ａから前方遮熱板３Ｂと後方遮熱板３Ｃの間に入った空気が効果的に断熱作用を発揮する。また、前方遮熱板３Ｂと後方遮熱板３Ｃとの間に生じる空気の流れによって、遮熱カバー３の前面の加熱が抑制されることにもなるので、前方側への輻射熱を抑止することができる。
【００２２】
更には、遮熱カバー３の上端位置を五徳５の爪部の上端位置と略一致させているので、調理具の底を五徳５の爪部上に置いた状態では、調理具の底で遮熱カバー３の上端が塞がれて、遮熱カバー３の内側で生じる燃焼排気が遮熱カバー３を越えて外側に排出されるのを抑止することができる。これによっても前方側への熱の伝搬を抑止することができる。
【００２３】
本発明の実施形態に係るガスコンロ１は、遮熱カバー３を設けた場合であって、放出火炎Ｆを後方側に傾斜させることで燃焼の悪化が生じない。本来、ガスバーナーの周囲をカバーで覆うと、カバーの内側の燃焼排気がスムースに排出されなくなり、ＣＯ排出量が上昇する不具合が生じる。これに対して、本発明の実施形態に係るガスコンロ１は、放出火炎Ｆを後方側に傾斜させることで、遮熱カバー３の内側に燃焼排気を逃がすための空間が形成される。これによって燃焼排気がスムースに排出され、良好な燃焼性能を確保することができる。遮熱カバー３の内側で生じる燃焼排気は、前述したように遮熱カバー３を越えて前方側に放出されることはなく、遮熱カバー３の内側を伝って側方又は後方に向けて放出される。
【００２４】
以上説明したように、本発明の実施形態に係るガスコンロ１によると、使用者の居る位置及び厨房環境の温度上昇を抑止することができる。これによって、使用者が快適にガスコンロ１を使用できるだけでなく、空調などによる多量のエネルギー消費を回避することができる。このように本発明の実施形態に係るガスコンロ１は、エネルギー有効利用の観点からも高い有効性を有する。
【００２５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００２６】
１：ガスコンロ，１Ａ：コンロ本体，
２：内炎口バーナー，２０：筒状体，２０Ａ：内向炎口，２１：混合気供給体，
２１Ａ：環状流路，２１Ｂ：混合気供給口，
３：遮熱カバー，３Ａ：空気流入口，３Ｂ：前方遮熱板，３Ｃ：後方遮熱板，
４：汁受け部材，４Ａ：汁受け部，４Ｂ：開口部，
５：五徳，５Ａ，５Ｂ：爪部，Ｎ：空気層
【図１】
0005309253.tif 000002
【図２】
0005309253.tif 000003
【図３】
0005309253.tif 000004
【図４】
0005309253.tif 000005